(57)【要約】      （修正有）【課題】従来の圧力ガスの放出力で、従来よりも大きな容量のカラーボールを発射しうるカラーボール発射装置を提供する。【解決手段】圧力ガス噴出装置に接続してカラーボール発射装置をなすカラーボール収容体１０を、円筒状の胴部１１の先端に発射口１２を有し、後端に圧力ガス噴出装置の圧力ガス噴出口に接続しうる接続基部１３を有し、該圧力ガス噴出口から噴出される圧力ガスを該接続基部の接続口１４から導入しうるようにしてなり、該胴部の内径と略等しい径の円盤状の底板１５Ｃとその周縁に該胴部の内径と略等しい外径の円筒状の側壁１５Ｒとを有する押出板１５を有し、該胴部にカラーボールＢを収容したときに、該押出板を該胴部のカラーボールと該接続基部との間隙に収容しうるようにする。【選択図】図１
0003139942.tif 000002
【実用新案登録請求の範囲】
【請求項１】
円筒状の胴部の先端に発射口を有し、後端に圧力ガス噴出装置の圧力ガス噴出口に接続しうる接続基部を有し、該圧力ガス噴出口から噴出される圧力ガスを該接続基部の接続口から導入しうるようにしてなり、
該胴部の内径と略等しい径の円盤状の底板とその周縁に該胴部の内径と略等しい外径の円筒状の側壁とを有する押出板を有し、
該胴部にカラーボールを収容したときに、該押出板を該胴部のカラーボールと該接続基部との間隙に収容し、更に圧力ガスを該接続基部の接続口から導入したときに、該押出板が該接続基部ないし発射口方向に転倒せずにカラーボールを押出し、該カラーボールを発射口から発射しうることを特徴とするカラーボール収容体。
【請求項２】
前記の押出板の側壁の外径が胴部に収容したときの発射口側より該接続基部側を僅かに大きく拡径してあることを特徴とする請求項１に記載のカラーボール収容体。
【請求項３】
前記の押出板の底板が胴部に収容したときの該接続基部方向にカラーボールの外形に対応して陥没していることを特徴とする請求項１又は２の何れかに記載のカラーボール収容体。
【請求項４】
前記の押出板の胴部に収容したときの接続基部側と該接続基部とが紐体で連結してあることを特徴とする請求項１、２又は３の何れかに記載のカラーボール収容体。
【請求項５】
前記の胴部の発射口の近傍の外側周に、一部に切り込みのある環状の基部を有する照準を嵌着してあることを特徴とする請求項１、２、３又は４の何れかに記載のカラーボール収容体。
【考案の詳細な説明】
【技術分野】
【０００１】
本考案は、圧力ガス噴出装置の圧力ガス噴出口に接続し、該圧力ガス噴出口から噴出される圧力ガスを導入し、内部に収容したカラーボールを発射しうるようにしてカラーボール発射装置を構成するカラーボール収容体に関し、例えば、色や臭いで識別性のある液体を充填したカラーボールを、逃走する犯人などの標的に向けて発射してその標的もしくはその近傍に着弾せしめることにより該カラーボールを破裂させ、該標的にその内部の液体を付着せしめて該標的を識別しうるようにする際に用いられるものである。
【背景技術】
【０００２】
かかるカラーボールについては、従来から投擲により標的に着弾せしめるものもあるが、その精度や到達距離は投げる者の投擲力に大きく左右されるものであり、誰もがカラーボールを標的もしくはその近傍にに着弾せしめることが出来るとは云えず、また、逃走する犯人を標的とする場合などには突然のことで投げる者の心理的な動揺から更にカラーボールを標的もしくはその近傍に着弾させ難く、その為、誰もがカラーボールを標的もしくはその近傍に着弾させることができるために有効な手段としてカラーボール発射装置が用いられている。
【０００３】
即ち、カラーボール発射装置によれば、使用者の能力によらず投擲によるよりも長いカラーボールの到達距離を得ることができ、そのため使用者は遠ざかる標的に対してカラーボールを発射するまでに時間的な余裕を得て、その間に狙いを定めることができるため、カラーボールをより確実に標的もしくはその近傍に着弾せしめることが出来るという利点がある。
【０００４】
かかるカラーボール発射装置としては、本考案の考案者がかつて提案した特許文献１のものがあり、これを実施して有効性が確認されている。
【０００５】
【特許文献１】特開２００６−２８４１３９
【０００６】
特許文献１に記載のカラーボールの発射装置を概すれば、圧力ガス噴出装置とカラーボール収容体とにより構成され、圧力ガスを封入したボンベを圧力ガス噴出装置の内部で開放して放出せしめ、その圧力ガスの放出経路の一部をなすカラーボール収容体にカラーボールを収容してカラーボールを発射するというものである。
【０００７】
そして、特許文献１に記載のカラーボールの発射装置は、特に複数のカラーボールを散弾状に発射しうるようにして、着弾したときにその内部の液体が飛散する範囲を広げるようにしたものであるが、これ用いられる圧力ガスを封入したボンベの入手性や安全性を考慮した範囲の容量として、その圧力ガスの放出力を考慮した上で、これに用いられるカラーボールは径が１５ｍｍ程度の球体が限界的に用いられる。
【考案の開示】
【考案が解決しようとする課題】
【０００８】
カラーボール発射装置に対しては、より確実に標的にカラーボールの内部の液体を付着せしめるべく、発射したカラーボールが着弾したときの破裂のし易さ、そして着弾して破裂して飛散する範囲の広さ、そして特に、風の影響の受け難さ、狙った標的に対する集弾性から、より容量の大きなカラーボールを発射できることが望まれるところであるが、例えば、特許文献１に記載のカラーボール発射装置のカラーボール収容体を単に内径を５０ｍｍの円筒状として径が５０ｍｍのカラーボールを１つ収容して発射しても、入手性や安全性を考慮した範囲の容量の圧力ガスを封入したボンベから放出された圧力ガスの放出力では発射力に不足して十分な到達距離を得ることができない。
【０００９】
そこで本考案は、従来から用いられている入手性や安全性を考慮した範囲の容量の圧力ガスを封入したボンベから放出された圧力ガスの放出力であっても、これを効率よく発射力に供することで従来よりも大きな容量のカラーボールを発射しうるカラーボール発射装置を提供すべく、これに用いられるカラーボール収容体に改良を施すことを課題とするものである。
【課題を解決するための手段】
【００１０】
即ち本考案は、圧力ガス噴出装置に接続してカラーボール発射装置をなすカラーボール収容体を、円筒状の胴部の先端に発射口を有し、後端に圧力ガス噴出装置の圧力ガス噴出口に接続しうる接続基部を有し、該圧力ガス噴出口から噴出される圧力ガスを該接続基部の接続口から導入しうるようにしてなり、該胴部の内径と略等しい径の円盤状の底板とその周縁に該胴部の内径と略等しい外径の円筒状の側壁とを有する押出板を有し、該胴部にカラーボールを収容したときに、該押出板を該胴部のカラーボールと該接続基部との間隙に収容し、更に圧力ガスを該接続基部の接続口から導入したときに、該押出板が該接続基部ないし発射口方向に転倒せずにカラーボールを押出し、該カラーボールを発射口から発射しうるようにするものである。
【００１１】
そして、前記のカラーボール収容体は、前記の押出板の側壁の外径が胴部に収容したときの発射口側より該接続基部側を僅かに大きく拡径してあり、更に、前記の押出板の底板が胴部に収容したときの該接続基部方向にカラーボールの外形に対応して陥没してあり、また、前記の押出板の胴部に収容したときの接続基部側と該接続基部とが紐体で連結してあり、また、前記の胴部の発射口の近傍の外側周に、一部に切り込みのある環状の基部を有する照準を嵌着してあることが望ましい。
【考案の効果】
【００１２】
本考案によるカラーボール収容体は、これを圧力ガス噴出装置に接続してカラーボール発射装置をなして用いたときに、そのカラーボール発射装置を、従来と同様の圧力ガスの噴出力であっても、これを効率的にカラーボールの発射力に供することができ、従来よりも大きな容量のカラーボールを発射しうるものとできる。
【００１３】
即ち、本考案によるカラーボール収容体を圧力ガス噴出装置に接続してカラーボール発射装置をなして、従来よりも大きな容量のカラーボールを用いれば、従来よりも、発射したカラーボールが着弾したときに破裂し易く、そして着弾して破裂して飛散する範囲が広く、そして特に、風の影響の受け難く、狙った標的に対して集弾性が高く、より確実に標的にカラーボールの内部の液体を付着せしめることができる。
【００１４】
また、本考案によるカラーボール収容体は、特許文献１に記載のカラーボール発射装置の圧力ガス噴出装置に拘わらず、従来からある圧力ガス噴出装置に連結してカラーボール発射装置をなして用いることができ、即ち、圧力ガスの放出経路にカラーボールを収容してそのカラーボールを発射するカラーボール発射装置であれば、その圧力ガスの放出経路の一部を置換して適用することができるので、特に汎用性が高いものと云える。
【考案を実施するための最良の形態】
【００１５】
本考案によるカラーボール収容体を実施するための最良の形態は、図１に示されるように、内部にカラーボールＢを収容する円筒状の胴部１１と、その先端にカラーボールＢを発射する発射口１２と、その後端にカラーボール発射装置の圧力ガス噴出装置２０の圧力ガス噴出口２１と接続基部１３とを有し、圧力ガス噴出口２１から噴出される圧力ガスを接続基部１３に設けられた接続口１４から導入しうるようにしたカラーボール収容体１０としてある。
【００１６】
即ち、カラーボール収容体１０を圧力ガス噴出装置２０に接続してカラーボール発射装置をなしたときに、圧力ガス噴出口２１から噴出された圧力ガスが、カラーボール収容体１０の内部に接続口１４から導入され、胴部１１の内側を接続基部１３側から発射口１２側へと通過して発射口１２から放出されるようにしてある。
【００１７】
なお、かかるカラーボール収容体１０は、圧力ガスの噴出に伴う圧力や冷却に耐えうるよう強質の樹脂により一体に成形され、例えばＡＢＳ樹脂を用いて一体に成形され、幾度のカラーボールの発射にも耐えうるようにしてあることが望ましい。
【００１８】
また、このカラーボール収容体１０は、胴部１１の内径と略等しい径の円盤状の底板１５Ｃとその周縁に胴部の内径と略等しい外径の円筒状の側壁１５Ｒとを有する押出板１５を有し、該胴部１１の内側に挿脱自在かつ胴部１１の長手方向に滑動自在に遊挿しうるようにしてあり、カラーボールＢの収容をするときに、胴部１１のカラーボールＢと接続基部１３との間隙に、胴部１１の内側を発射口１２側と接続基部１３側とを仕切るように配置することとしてある。
【００１９】
この押出板１５は、胴部１１に遊挿したときに、胴部１１の内部をその長手方向に転倒せず滑動しうるように十分な高さの側壁１５Ｒとしてあり、この側壁１５Ｒは、その外径が胴部１１に収容したときにおける発射口側１５Ａより接続基部側１５Ｂを僅かに大きく拡径してあり、遊挿してありながらも胴部１１の内側を発射口１２側と接続基部１３側とを十分に仕切りうるようにしてある。
【００２０】
加えて、押出板１５は、押出板１５の底板１５Ｃが胴部１１に収容したときにおける接続基部１３方向にカラーボールＢの外形に対応して陥没してあることが望ましく、汎用のカラーボールＢではその製造をする際に内部に液体を注入すべく用いられた突起が形成されているものがあり、それを用いる場合は少なくともその突起を遊嵌しうる陥没を設け、
そのカラーボールＢがその突起を押出板１５側に向けたまま発射されるようにして、その突起が胴部１１の内側に接触せず無用の抵抗が生じることのないようにしてあることが望ましい。
【００２１】
また、カラーボールＢを発射したときに発射口１２から共に押出板１５が飛び出たときに、該押出板１５がカラーボールＢと共に飛んでいかないように、押出板１５の胴部１１に収容したときにおける接続基部側１５Ｂと接続基部１３とを紐体Ｌで連結しておくことが望ましい。
【００２２】
なお、胴部１１の発射口１２の近傍の外側には照準Ｓを設けてあり、カラーボール収容体１０を圧力ガス噴出装置２０に接続してカラーボール発射装置をなしたときに、これを使用する者が標的に対して狙いをつけ易くしてあることが望ましい。
【００２３】
このとき、照準Ｓはカラーボール発射装置の上側に配置しうるようにすべく、図２に示されるように、照準Ｓと胴部１１をと別体とし、一部に切り込みのある環状の基部を設けた照準Ｓを、胴部１１の発射口１２の近傍の外側周に嵌着しうるようにして、摺動して回転せしめ位置決めをしうるようにしてあるとよい。
【００２４】
これらの構成により、カラーボール収容体１０を圧力ガス噴出装置２０に接続してカラーボール発射装置をなし、使用者が照準Ｓを用いて標的に狙いを定めて発射操作をすることで、圧力ガス噴出口２１から噴出された圧力ガスが、カラーボール収容体１０の内部に接続口１４から導入されたときに、胴部１１に遊挿した押出板１５は、その接続基部１３側からくる圧力ガスを発射口１２側に漏らさずに、圧力ガスの噴出力でそれ自体が胴部１１の内部をその長手方向に転倒せず滑動することとなる。
【００２５】
そして、カラーボールＢを、胴部１１のカラーボールＢと接続基部１３との間隙に押出板１５を配置して収容すれば、圧力ガスの噴出力で押出板１５を介し、胴部１１の内部をその長手方向に滑動しつつ付勢されて十分な発射力を得ることができ、発射口１２から十分な到達距離をもって発射される。
【００２６】
なお、カラーボールＢの得る発射力は、押出板１５を介さずに得られる発射力よりも大きく、５０ｍｍの胴部１１のカラーボール収容体１０を用いて、直径が５０ｍｍ規格のカラーボールＢを、押出板１５の有無を除いては条件を同じくして、同量の圧力ガスにより無風状態で水平方向にカラーボールＢ発射したときに、そのカラーボールＢが狙った標的に着弾して破裂する有効な射程距離としては、押出板１５を介した場合には２５ｍの有効な射程距離を得ることが出来たが、押出板１５を介しさない場合には１５ｍの有効な射程距離しか得ることが出来なかった。
【００２７】
かかる検証に用いたカラーボールＢは、塩化ビニル樹脂よりなる球形の外殻の内部に識別性の液体を充填してなるサンエス技研株式会社の製品「クラックボール」であって、外殻が温度や湿度の影響をうけ難いとともに着弾して破裂し易いという特徴があることから、本考案によるカラーボール収容体１０に用いるに特に好適であると認められるものである。
【００２８】
勿論、その他のカラーボールＢであっても本考案によるカラーボール収容体１０に用いることは出来るが、その外殻は、温度や湿度の影響をうけ難いとともに着弾して破裂し易いことが望ましく、例えば、前述の如く塩化ビニル樹脂よりなるものや、スチレン樹脂、エチレン−塩化ビニル共重合体樹脂、ポリエステル樹脂等の合成樹脂からなるものが好適であり、特開２００１−１４５６５号に記載の「投てきによるマーキング品」が挙げられる。
【００２９】
上述の如く構成した本考案によるカラーボール収容体１０は、いかなる圧力ガス噴出装置に連結してカラーボール発射装置をなして効果を奏することができ、例えば、図３あるいは図４に示されるような圧力ガス噴出装置２０の圧力ガス噴出口２１に対して接続してカラーボール発射装置をなすことができる。
【００３０】
即ち、カラーボール収容体１０の接続基部１３は、それを接続する圧力ガス噴出装置２０の圧力ガス噴出口２１に対応した螺着構造などの連結手段で連結しうるようにしてあり、その連結部分では望ましくはパッキンを介して接続基部１３と圧力ガス噴出口２１とが密着するようにして、その連結部分からの圧力ガスの漏出を防止するようにしてあることが望ましい。
【００３１】
ここで上述した図３または図４に記載の圧力ガス噴出装置２０は、何れもその内部で圧力ガスを封入したボンベ２２と穿孔針２３とを圧縮したスプリング２４の復元力で衝突せしめ、ボンベ２２を穿孔して開放することで圧力ガスを放出せしめ、その圧力ガスを導出路２５を通じて圧力ガス噴出口２１へと導き圧力ガス噴出口２１より噴出せしめるようにしてある。
【００３２】
ところで、何れの圧力ガス噴出装置２０についても、図面では同様の箇所には同じ符号を付してあるが、図３に記載の圧力ガス噴出装置２０にあっては、圧力ガス噴出装置２０に対してボンベ２２を固定して配置してあり、トリガー２６を操作により、穿孔針２３がスプリング２４の復元力で移動してボンベ２２に衝突し、ボンベ２２を穿孔して開放することで圧力ガスを放出せしめるようにしてあり、図４に記載の圧力ガス噴出装置２０にあっては、圧力ガス噴出装置２０に対して穿孔針２３を固定して配置してあり、トリガー２６を操作により、ボンベ２２がスプリング２４の復元力で移動して穿孔針２３に衝突し、ボンベ２２を穿孔して開放することで圧力ガスを放出せしめるようにしてある。
【００３３】
なお、前述の如く本考案によるカラーボール収容体１０は、何れの圧力ガス噴出装置２０であってもこれを連結してカラーボール発射装置をなすことができるが、図３に記載の圧力ガス噴出装置２０と図４に記載の圧力ガス噴出装置２０とでは、導出路２５の経路が短く単純であるため同量の圧力ガスから得られる圧力ガスの噴出力が大きな図４に記載の圧力ガス噴出装置２０と共に用いることが望ましい。
【産業上の利用可能性】
【００３４】
本考案によるカラーボール収容体は、これを圧力ガス噴出装置に連結してカラーボール発射装置をなしたときに、カラーボール発射装置よりも大容量のカラーボールを発射することができるようになり、そのため、発射したカラーボールの内部の液体を標的に付着させ易くなり、標的を識別するという目的をより一層に果たしやすくなる。
【図面の簡単な説明】
【００３５】
【図１】カラーボール収容体の概要断面図
【図２】照準の斜視図
【図３】圧力ガス噴出装置の一例を示す概要断面図
【図４】圧力ガス噴出装置の他の例を示す概要断面図
【符号の説明】
【００３６】
１０    カラーボール収容体
１１    胴部
１２    発射口
１３    接続基部
１４    接続口
１５    押出板
１５Ｃ  底板
１５Ｒ  側壁
１５Ａ  発射口側
１５Ｂ  接続基部側
Ｌ      紐体
Ｓ      照準
Ｂ      カラーボール
２０    圧力ガス噴出装置
２１    圧力ガス噴出口
２２    ボンベ
２３    穿孔針
２４    スプリング
２５    導出路
２６    トリガー
【図１】
0003139942.tif 000003
【図２】
0003139942.tif 000004
【図３】
0003139942.tif 000005
【図４】
0003139942.tif 000006